(57)【要約】【課題】太陽電池モジュールからの出力電力を増大させること。【解決手段】開口部を有した本体筐体１１に移動可能に配設した扉体１３を備え、扉体１３を移動させることによって本体筐体１１の開口部を開閉するようにした収納装置１０であって、セル４１の受光面を外部に向けた状態で太陽電池モジュール４０を扉体１３に配設するとともに、セル４１の受光面を覆う状態で太陽電池モジュール４０の外表面に透光性を有したカバー部材５０を配設し、さらにカバー部材５０においてセル４１の受光面以外となる領域に、セル４１をカムフラージュするための着色部分５２を設けた。【選択図】図２
2015165848.tif 000002
【特許請求の範囲】
【請求項１】
開口部を有した本体筐体に移動可能に配設した扉体を備え、前記扉体を移動させることによって前記本体筐体の開口部を開閉するようにした収納装置であって、
受光面を外部に向けた状態で太陽電池モジュールを前記扉体に配設するとともに、前記受光面を覆う状態で前記太陽電池モジュールの外表面に透光性を有したカバー部材を配設し、さらに前記カバー部材において前記受光面以外となる領域に、前記セルをカムフラージュするための配色を施したことを特徴とする収納装置。
【請求項２】
前記扉体の外表面に設けた扉体の構成要素と前記カバー部材との間に互いの相対位置を規定するための位置決め部を設けたことを特徴とする請求項１に記載の収納装置。
【請求項３】
前記扉体は、外表面に開閉操作を行うための操作部材を備えたものであり、
前記位置決め部として前記カバー部材に切欠を形成し、前記カバー部材の切欠を介して前記操作部材を外部に露出させたことを特徴とする請求項２に記載の収納装置。
【請求項４】
前記扉体は、前記本体筐体との間の施錠を行う錠装置を備え、前記錠装置は、キー孔が外表面に現れる状態でキーシリンダが前記扉体に取り付けられたものであり、
前記位置決め部として前記カバー部材に切欠を形成し、前記カバー部材の切欠を介して前記キーシリンダのキー孔を外部に露出させたことを特徴とする請求項２に記載の収納装置。
【請求項５】
前記位置決め部として前記扉体の外表面に段部を形成したことを特徴とする請求項２に記載の収納装置。
【請求項６】
前記位置決め部として前記扉体の外表面に前記カバー部材を収容する収容凹部を形成したことを特徴とする請求項５に記載の収納装置。
【発明の詳細な説明】
【技術分野】
【０００１】
本発明は、オフィス等の室内に設置される収納装置に関するものである。
【背景技術】
【０００２】
オフィス等の室内に設置される収納装置には、本体筐体と扉体との間の施錠手段として電子錠を備えるものが提供されている。電子錠は、例えば入力された認証情報が認証された場合に施錠状態から解錠状態に移行し、本体筐体に対して扉体の開閉移動を許容するように構成されている。また、本体筐体の内部には、扉体が開いた際に点灯する庫内照明を設けるようにしたものも提供されている。
【０００３】
従来、この種の収納装置では、電子錠や庫内照明等の電気機器を駆動するための電源として、二次電池等の蓄電体が多く用いられていた。電源として二次電池を適用した収納装置によれば、外部に電源を確保できない場所に設置することが可能になる等の利点がある。しかしながら、二次電池を適用した場合には、定期的に二次電池の交換作業や充電作業が必要になる等、メンテナンス作業が煩雑となる。このため、昨今においては、収納装置の外表面に太陽電池モジュールを配設し、太陽電池モジュールから出力される電力によって二次電池を充電できるようにしたものが提供されている（例えば、特許文献１参照）。
【先行技術文献】
【特許文献】
【０００４】
【特許文献１】特開２００６−２３０７７１号公報
【発明の概要】
【発明が解決しようとする課題】
【０００５】
室内に設置された太陽電池モジュールからより多くの電力を出力するには、セルの受光面にできるだけ多くの照明光を照射させる必要がある。すなわち、収納装置の外表に現れる部分に太陽電池モジュールを配設し、その受光面に照明光が効率よく照射されるように構成する必要がある。しかしながら、収納装置の外表に現れるように配設された太陽電池モジュールは、当然に外部から目立つこととなるため、セルの受光領域となる部分が触られて汚れたり、悪戯される機会も多くなり、逆に出力電力が低下する等の問題を来すおそれがある。
【０００６】
本発明は、上記実情に鑑みて、太陽電池モジュールから安定した発電量の電力を得ることのできる収納装置を提供することを目的とする。
【課題を解決するための手段】
【０００７】
上記目的を達成するため、本発明に係る収納装置は、開口部を有した本体筐体に移動可能に配設した扉体を備え、前記扉体を移動させることによって前記本体筐体の開口部を開閉するようにした収納装置であって、受光面を外部に向けた状態で太陽電池モジュールを前記扉体に配設するとともに、前記受光面を覆う状態で前記太陽電池モジュールの外表面に透光性を有したカバー部材を配設し、さらに前記カバー部材において前記受光面以外となる領域に、前記セルをカムフラージュするための配色を施したことを特徴とする。
【０００８】
また本発明は、上述した収納装置において、前記扉体の外表面に設けた扉体の構成要素と前記カバー部材との間に互いの相対位置を規定するための位置決め部を設けたことを特徴とする。
【０００９】
また本発明は、上述した収納装置において、前記扉体は、外表面に開閉操作を行うための操作部材を備えたものであり、前記位置決め部として前記カバー部材に切欠を形成し、前記カバー部材の切欠を介して前記操作部材を外部に露出させたことを特徴とする。
【００１０】
また本発明は、上述した収納装置において、前記扉体は、前記本体筐体との間の施錠を行う錠装置を備え、前記錠装置は、キー孔が外表面に現れる状態でキーシリンダが前記扉体に取り付けられたものであり、前記位置決め部として前記カバー部材に切欠を形成し、前記カバー部材の切欠を介して前記キーシリンダのキー孔を外部に露出させたことを特徴とする。
【００１１】
また本発明は、上述した収納装置において、前記位置決め部として前記扉体の外表面に段部を形成したことを特徴とする。
【００１２】
また本発明は、上述した収納装置において、前記位置決め部として前記扉体の外表面に前記カバー部材を収容する収容凹部を形成したことを特徴とする。
【発明の効果】
【００１３】
本発明によれば、受光面を覆う状態で太陽電池モジュールの外表面に透光性を有したカバー部材を配設し、さらにカバー部材において受光面以外となる領域にセルをカムフラージュするための配色を施しているため、収納装置の外表に現れる部分に太陽電池モジュールを配設した場合にも、その存在を目立たせることがない。従って、カバー部材においてセルの受光領域となる部分が触られて汚れたり、悪戯される等の問題を招来することなく、太陽電池モジュールから安定した発電量の電力を得ることができる。
【図面の簡単な説明】
【００１４】
【図１】図１は、本発明の実施の形態１である収納装置の外観を示す斜視図である。
【図２】図２は、図１に示した収納装置の扉体を示す要部拡大図である。
【図３】図３は、図１に示した収納装置に適用するカバー部材及び太陽電池モジュールを示したもので、（ａ）はカバー部材の正面図、（ｂ）は太陽電池モジュールの正面図である。
【図４】図４は、図１に示した収納装置の扉体に対する太陽電池モジュール及びカバー部材の取り付け状態を示す分解斜視図である。
【図５】図５は、図１に示した収納装置に適用する電子錠と二次電池及び太陽電池モジュールとの接続態様を示す回路図である。
【図６】図６は、本発明の実施の形態２である収納装置の扉体を示す正面図である。
【図７】図７は、本発明の実施の形態３である収納装置の扉体に対する太陽電池モジュール及びカバー部材の取り付け状態を示す分解斜視図である。
【図８】図８は、図７に示した収納装置の要部を示す拡大断面側面図である。
【発明を実施するための形態】
【００１５】
以下、添付図面を参照しながら本発明に係る収納装置の好適な実施の形態について詳細に説明する。
【００１６】
図１は、本発明の実施の形態１である収納装置を示したものである。ここで例示する収納装置１０は、オフィス等の室内に設置されるもので、本体筐体１１と一対の扉体１２，１３とを備えている。本体筐体１１及び一対の扉体１２，１３は、それぞれ金属製のパネルを適宜成形することによって構成したものである。本体筐体１１は、前面に開口部を有した直方体状を成す箱体である。扉体１２，１３は、ヒンジ１４を介して本体筐体１１に支持させてあり、ヒンジ１４の軸を中心に回転することで本体筐体１１の開口部を開閉することが可能である。本実施の形態１では、本体筐体１１の両側部分にそれぞれ扉体１２，１３が上下方向に沿ったヒンジ１４の軸を中心に回転可能に支持させてあり、いわゆる観音開きとなるように収納装置１０が構成してある。図には明示していないが、正面向かって左側に設けた扉体（以下、「左扉体１２」という）の戸先には、左扉体１２を閉じた後に、正面向かって右側に設けた扉体（以下、「右扉体１３」という）を閉じた場合に右扉体１３と本体筐体１１との間に挟まれるように召し合わせ部材が配設してある。従って、左扉体１２を先に閉じた状態で右扉体１３を閉じれば、左扉体１２の召し合わせ部材が本体筐体１１と右扉体１３との間に挟まれた状態となるため、左扉体１２の開き移動も阻止されることになる。図２に示すように、右扉体１３には、パネルの外表面に露出するように把手（操作部材）２０が設けてある一方、パネルの内表面に電子錠３０が設けてある。
【００１７】
把手２０は、本体筐体１１に対して右扉体１３を開閉操作するための操作部材である。本実施の形態１では、図１に示すように、右扉体１３の上下方向のほぼ中間で、かつ右扉体１３の戸先側となる部分にほぼ正方形の外形を有した把手２０が設けてある。右扉体１３が閉じられた状態で把手２０を操作すると、右扉体１３と本体筐体１１との間に設けた図示せぬラッチが解除され、ヒンジ１４の軸を中心として右扉体１３の回転が許容されるため、本体筐体１１の開口部を開閉することが可能となる。尚、右扉体１３が開いた場合には、左扉体１２に設けた召し合わせ部材（図示せず）の前面が開放されるため、左扉体１２を開くことも可能となる。
【００１８】
電子錠３０は、右扉体１３を閉じた状態に維持する施錠状態と、右扉体１３の開閉移動を許容する解錠状態とに切り替わるものである。本実施の形態１では、図５に例示するように、施解錠制御部３１、施解錠用の電磁ソレノイド（以下、「施解錠用ソレノイド３２」という）、無線通信部３３、押ボタンスイッチ３４を備えてユニット化した電子錠３０を適用している。この電子錠３０は、図２に示すように、右扉体１３の内表面において把手２０の下方となる部分に配設してある。押ボタンスイッチ３４は、右扉体１３が閉じた状態で外部から操作できるように、パネルの外表面に押ボタン３４ａが露出した状態で配設してある。
【００１９】
この電子錠３０では、例えば右扉体１３の閉じられた状態が所定時間継続すると、施解錠制御部３１によって施解錠用ソレノイド３２が施錠方向に動作して施錠状態となる。施解錠用ソレノイド３２が施錠方向に動作すると、例えば把手２０が操作できない状態となり、右扉体１３が本体筐体１１に対して閉じた状態に維持される。
【００２０】
一方、押ボタンスイッチ３４をオン操作すると、施解錠制御部３１が有効化され、これに伴って無線通信部３３が受信可能状態となる。この状態から無線通信部３３を通じて施解錠制御部３１に解錠許可指令が与えられた場合には、施解錠制御部３１によって施解錠用ソレノイド３２が解錠方向に動作する。施解錠用ソレノイド３２が解錠方向に動作すると、例えば把手２２が操作可能な状態に復帰し、把手２２の操作によりラッチ２０を解除状態に移行して右扉体１３を本体筐体１１に対して開閉することが可能となる。押ボタンスイッチ３４をオン操作した場合にのみ施解錠制御部３１が有効化されるため、待機時間において無駄な電力を消費するおそれがない。電子錠３０を駆動するための電源としては、ニッケル水素充電池やリチウムイオン充電池、鉛蓄電池等の二次電池３５がパネルの内表面において電子錠３０よりも下方となる位置に配設してある。尚、電源としては、必ずしも二次電池に限らず、施解錠用ソレノイド３２を駆動することのできる出力を持つものであれば、電気二重層コンデンサのようなキャパシタを適用しても良い。
【００２１】
図２に示すように、この電子錠３０には、キー孔３６ａに鍵を挿入して操作した場合にも施錠状態と解錠状態とを切り替えることが可能となるようにキーシリンダ３６が付設してある。キーシリンダ３６は、キー孔３６ａがパネルの外表面に現れるように右扉体１３に取り付けてある。
【００２２】
さらに、右扉体１３には、図１及び図２に示すように、太陽電池モジュール４０が配設してあるとともに、太陽電池モジュール４０を覆うようにパネルの外表面にカバー部材５０が配設してある。太陽電池モジュール４０は、図３の（ｂ）に示すように、複数のセル４１を縦横に整列させることによって矩形の薄板状に形成したものである。本実施の形態１では、６個のセル４１を縦２列に配置することによって構成した太陽電池モジュール４０を２つ適用している。これらの太陽電池モジュール４０は、図４に示すように、それぞれ縦長の姿勢で左右に並べた状態で、パネルの外表面に設けた収容部１３ａに配設してある。
【００２３】
収容部１３ａは、太陽電池モジュール４０を２つ並べて収容することのできる大きさの矩形状を成す凹部であり、キー孔３６ａよりも上方であって、把手２０とほぼ同じ高さのヒンジ１４側となる領域に設けてある。収容部１３ａの深さは、太陽電池モジュール４０の板厚よりも大きな寸法を有するように形成してある。収容部１３ａの中央部には、太陽電池モジュール４０から延びるケーブル４２をパネルの内表面側に導出するためのケーブル挿通孔１３ｂが設けてある。収容部１３ａに太陽電池モジュール４０を保持させる方法としては、例えば両面テープや接着剤を適用して接着させれば良い。図５に示すように、この太陽電池モジュール４０は、出力される電力によって二次電池３５を充電することができるように、二次電池３５と並列に接続してある。
【００２４】
カバー部材５０は、アクリル等、無色透明の透光性を有した合成樹脂材によって矩形の板状に成形したもので、収容部１３ａ及び把手２０を含む矩形領域を覆うことのできる大きさに形成してある。図３の（ａ）に示すように、このカバー部材５０には、切欠５１及び着色部分５２（図３の（ａ）中においてクロスハッチングを施した部分）が設けてある。切欠５１は、把手２０を外部に露出させるための開口であり、正面向かって左下隅となる部位に形成してある。この切欠５１は、把手２０よりもわずかに大きい寸法の正方形となるように形成してあり、把手２０のすべてを外部に露出することが可能である。
【００２５】
着色部分５２は、カバー部材５０の表面に遮光性を有した顔料を配置することによって構成した非透光部であり、太陽電池モジュール４０を構成するセル４１の受光面に対して色相、明度、彩度の三属性がほぼ同等のなるように配色してある。この着色部分５２は、カバー部材５０を右扉体１３に配設した場合に、収容部１３ａに配置した太陽電池モジュール４０に対してセル４１の受光面以外となる領域全面を覆うように設けてある。つまり、カバー部材５０の表面は、図３の（ａ）に示すように、セル４１の受光面に対応した透光部５３のみが無色透明の透光性を有した矩形領域となり、その他の部分が遮光性の着色部分５２となる。カバー部材５０の着色部分５２は、例えば、カバー部材５０を成形する際に着色したフィルムを転写することにより構成することが可能である。カバー部材５０を右扉体１３の外表面に保持させる方法としては、例えば両面テープや接着剤を適用して接着させれば良い。
【００２６】
尚、図１において左側に積み重ねて配置した４つの収納装置１０′は、本体筐体に唯一の扉体１３を備えて構成したものである。これら４つの収納装置１０′の扉体１３は、上述した右扉体１３と同様の構成を有して構成したものであり、対応する構成に同一の符号が付してある。
【００２７】
上記のように構成した収納装置１０では、収納装置１０の前面となる右扉体１３の外表面に太陽電池モジュール４０を配設するとともに、この太陽電池モジュール４０から出力される電力によって二次電池３５を充電するように構成している。従って、定期的に二次電池３５の交換作業や充電作業を実施することなく、常に電子錠３０の施解錠を確実に行うことが可能となる。しかも、右扉体１３のヒンジ１４側となる領域に太陽電池モジュール４０を配設するようにしているため、右扉体１３を開閉した場合にも大きな衝撃が直接太陽電池モジュール４０に加えられるおそれがなく、太陽電池モジュール４０の耐久性を向上させることができる。
【００２８】
さらに、この収納装置１０では、右扉体１３の外表面に配設した太陽電池モジュール４０を覆うようにカバー部材５０を配設し、さらにカバー部材５０においてセル４１の受光面以外となる領域を着色部分５２によって覆うようにしているため、セル４１の受光面へ十分な照明光を照射させる機能を維持しながら、セル４１の存在が外部から視認し難い状態となる。すなわち、太陽電池モジュール４０をカバー部材５０によって覆った場合には、図２に示すように、透光性を有した矩形の透光部５３を介してセル４１が透過され、透過されるセル４１とカバー部材５０に施した着色部分５２とによってカバー部材５０の表面全域がほぼ一様な色相、明度、彩度となり、太陽電池モジュール４０のセル４１が着色部分５２によってカムフラージュされることになる。従って、カバー部材５０においてセル４１の受光領域となる部分が触られて汚れたり、悪戯される等の問題を招来するおそれがなくなり、安定してセル４１の受光面に照明光を照射させることができ、太陽電池モジュール４０から安定した発電量の電力を得ることが可能となる。さらに、カバー部材５０を配設する位置は、その切欠５１を把手２０に合致させれば良いため、カバー部材５０の着色部分５２とセル４１の受光面以外となる領域との位置決めを容易に行うことができる。因に、上述した収納装置１０においては、把手２０に対してもカバー部材５０の着色部分５２と同じ配色を行えば、意匠の審美性を高めることも可能である。
【００２９】
尚、上述した実施の形態１では、カバー部材５０に切欠５１を形成し、カバー部材５０の切欠５１を介して把手２０を外部に露出させることで右扉体１３とカバー部材５０との位置決めを行うようにしているが、本発明はこれに限定されない。例えば、図６に示す実施の形態２では、カバー部材１５０にキーシリンダ３６のキー孔３６ａを外部に露出させる大きさの切欠１５１を形成し、カバー部材１５０の切欠１５１を介してキー孔３６ａを外部に露出させることで扉体１３とカバー部材１５０との位置決めを行うようにしている。尚、図６に示す実施の形態２において実施の形態１と同様の構成に関しては同一の符号が付してある。
【００３０】
また、位置決め部としては、必ずしもカバー部材５０，１５０に切欠５１，１５１を設ける必要はなく、扉体１３の外表面に段部を設けることによってカバー部材１５０の位置決めを行うようにすることも可能である。例えば、図７に示す実施の形態３では、扉体１３の外表面からカバー部材２５０を収容することのできる収容凹部（段部）１３ｃを形成することによって扉体１３とカバー部材２５０との位置決めを行うようにしている。この場合、図８に示すように、収容凹部１３ｃの深さをカバー部材２５０の板厚に合致させれば、扉体１３の外表面を平坦とすることができ、カバー部材２５０が脱落し難くなる等の効果を奏することが可能となる。尚、図７及び図８に示す実施の形態３において実施の形態１と同様の構成に関しては同一の符号が付してある。
【００３１】
尚、上述した実施の形態１〜実施の形態３においては、本体筐体１１に対して扉体１２，１３がヒンジ１４を介して取り付けられたものを例示しているが、必ずしもこれに限定されない。
【００３２】
また、上述した実施の形態１〜実施の形態３では、扉体１３の外表面から太陽電池モジュール４０を配設するようにしているため、ケーブル４２が通過できる大きさのケーブル挿通孔１３ｂさえ設ければ、太陽電池モジュール４０を外部に露出させるための大きな開口を扉体１３に設ける必要がない。従って、扉体１３の剛性を考慮した場合に有利となる。しかしながら、太陽電池モジュール４０は、セル４１の受光面が外部に向いた状態であれば、扉体１３の内表面から取り付けるようにしても構わない。
【００３３】
さらに、上述した実施の形態１〜実施の形態３では、電気機器として本体筐体１１と扉体１３との間に電子錠３０を備えるものを例示しているが、庫内照明等、電子錠以外の電気機器を備えたものにも適用することが可能である。
【００３４】
またさらに、位置決め部となる扉体の構成要素としては、把手、キーシリンダ、収容凹部以外にも、押ボタンスイッチの押ボタンを適用しても良いし、扉体にインジケータやネームプレートが設けてあれば、これらを位置決め部として適用することも可能である。
【符号の説明】
【００３５】
１０      収納装置
１１      本体筐体
１３      扉体
１３ｃ      収容凹部
２０      把手
３６      キーシリンダ
３６ａ      キー孔
４０      太陽電池モジュール
４１      セル
５０，１５０，２５０      カバー部材
５１，１５１      切欠
５２      着色部分
５３      透光部
【図１】
2015165848.tif 000003
【図２】
2015165848.tif 000004
【図３】
2015165848.tif 000005
【図４】
2015165848.tif 000006
【図５】
2015165848.tif 000007
【図６】
2015165848.tif 000008
【図７】
2015165848.tif 000009
【図８】
2015165848.tif 000010